(57)【要約】【課題】  太陽光発電電力の全量売電から自家消費への切替を容易に且つ省スペースで実施できる分電盤を提供する。【解決手段】 電力系統５から受電するための主幹ブレーカ２と、需要家の個々の負荷に受電電力を供給するために主幹ブレーカ２の二次側を分岐する複数の分岐ブレーカ３とを備え、太陽光発電装置８の発電電力の出力先を切り替える切替開閉器４を具備し、切替開閉器４の操作により太陽光発電装置８の発電電力を需要家内の負荷に供給するか発電電力の全量を外部に売電するかの切り替えを行うことができる。【選択図】  図１
2019022422.tif 000002
【特許請求の範囲】
【請求項１】
電力系統から受電するための主幹ブレーカと、需要家の個々の負荷に受電電力を供給するために前記主幹ブレーカの二次側を分岐する複数の分岐ブレーカとを備えた分電盤において、
太陽光発電装置の発電電力の出力先を切り替える切替手段を具備し、
前記切替手段の操作により、前記太陽光発電装置の発電電力を需要家内の前記負荷に供給するか、発電電力の全量を外部に売電するかの切り替えを行うことができることを特徴とする分電盤。
【請求項２】
太陽光発電電力を前記負荷に供給するよう前記切替手段を切り替えた際に、太陽光発電の余剰分は前記電力系統への逆潮流を可能とするよう前記電力系統からの受電電路は双方向に電力を通電可能に構成されて成ることを特徴とする請求項１記載の分電盤。
【発明の詳細な説明】
【技術分野】
【０００１】
本発明は、電力系統から電力を受電するための分電盤に関し、特に太陽光発電装置を備えた住戸に設置される分電盤に関する。
【背景技術】
【０００２】
再生可能エネルギーである太陽光発電電力は、ＦＩＴ（固定価格買取制度）に基づいて決められた期間は比較的高価な一定価格で売電できるため普及が進んでいる。
しかしながら、一定期間が経過した後は、売電価格の低下により経済的利益を上げるために太陽光発電であってもその供給先に自家需要も検討する必要があり、例えば特許文献１に記載されているように蓄電池を別途設置し、売電と宅内での需要の効果的な切り替えを可能としたシステムが提案されている。
【先行技術文献】
【特許文献】
【０００３】
【特許文献１】特開２０１３−１５８１３２号公報
【発明の概要】
【発明が解決しようとする課題】
【０００４】
上述したように、ＦＩＴが終了した場合、太陽光発電電力は売電価格次第では全量売電が難しくなり、需要家の消費を中心として余剰分に限り売電する構成に切り替えなければならない場合が発生する。その場合、特許文献１に有るような構成を予め構成しておけば良いがコスト高であるため難しく、新たに配線工事が発生するし、分電盤の周囲に新たなスペースも必要となった。
【０００５】
そこで、本発明はこのような問題点に鑑み、太陽光発電電力の全量売電から自家消費への切替を容易に且つ省スペースで実施できる分電盤を提供することを目的としている。
【課題を解決するための手段】
【０００６】
上記課題を解決する為に、請求項１の発明は、電力系統から受電するための主幹ブレーカと、需要家の個々の負荷に受電電力を供給するために主幹ブレーカの二次側を分岐する複数の分岐ブレーカとを備えた分電盤において、太陽光発電装置の発電電力の出力先を切り替える切替手段を具備し、切替手段の操作により、太陽光発電装置の発電電力を需要家内の負荷に供給するか、発電電力の全量を外部に売電するかの切り替えを行うことができることを特徴とする。
この構成によれば、配線工事をすること無く分電盤内の切替操作で、太陽光発電の全量売電と需要家内の消費とを簡易な切替操作で実施できる。よって、太陽光発電電力の売電単価が変更されても、新たな配線工事をすること無く省スペースで切り替えを実施でき、需要家にとって利便性が良い。
【０００７】
請求項２の発明は、請求項１に記載の構成において、太陽光発電電力を負荷に供給するよう切替手段を切り替えた際に、太陽光発電の余剰分は電力系統への逆潮流を可能とするよう電力系統からの受電電路は双方向に電力を通電可能に構成されて成ることを特徴とする。
この構成によれば、太陽光発電電力を需要家が消費する場合でも、余剰分は受電電路を介して売電できるため、発電電力を無駄にすることがない。
【発明の効果】
【０００８】
本発明によれば、配線工事をすること無く分電盤内の切替操作で、太陽光発電の全量売電と需要家内の消費とを簡易な切替操作で実施できる。よって、太陽光発電電力の売電単価が変更されても、新たな配線工事をすること無く省スペースで切り替えを実施でき、需要家にとって利便性が良い。
【図面の簡単な説明】
【０００９】
【図１】本発明に係る分電盤の一例を示す回路図である。
【図２】機器の具体的配置を示す分電盤の正面図である。
【発明を実施するための形態】
【００１０】
以下、本発明を具体化した実施の形態を、図面を参照して詳細に説明する。図１，２は本発明に係る分電盤の一例を示し、図１は回路図、図２は機器の具体的配置を示す正面図である。分電盤１には主幹ブレーカ２、複数の分岐ブレーカ３、切替開閉器４が組み付けられており、６は商用電力系統（電力系統）５から受電する受電電力を計測する電力量計（第１電力量計）、７は太陽光発電装置８で発電された電力の売電電力を計測する電力量計（第２電力量計）である。尚、第１電力量計６は受電電力の計測に加えて、逆方向の売電電力も計測可能となっている。
【００１１】
商用電力系統５から第１電力量計６を介して引き込まれた受電電路Ｌ１は主幹ブレーカ２の一次側に接続され、主幹ブレーカ２の二次側は分電盤１内に横方向に配設された主幹バーＬ２に接続されて、主幹バーＬ２の上下両側に複数の分岐ブレーカ３が配設されてそれぞれ主幹バーＬ２に接続されている。
【００１２】
切替開閉器４は、切替元が接続される切替元端子４ａと切替先の２つの切替先端子（第１端子４ｂ、第２端子４ｃ）の計３端子を有し、切替元端子４ａに太陽光発電装置８が接続されている。そして、第２電力量計７を介して商用電力系統５に接続された売電電路Ｌ３が第１端子４ｂに接続され、主幹バーＬ２が第２端子４ｃに接続されている。尚、第１端子４ｂと第２端子４ｃの切り替えは図２に示す操作ハンドル４ｄの操作で行われる。
【００１３】
太陽光発電装置８は複数の太陽電池パネルとパワーコンディショナ（何れも図示せず）を有しており、太陽電池パネルが発電した直流電力がパワーコンディショナにより商用電力系統に連系させた交流電力に変換されて出力される。
【００１４】
このように構成された分電盤１は、切替開閉器４の接続状態により以下の様に動作する。切替元端子４ａが第１端子４ｂに接続されている場合、太陽光発電装置８の全発電電力は売電電路Ｌ３を介して商用電力系統５に伝送されて売電される。このとき、需要家の全ての負荷は受電している商用電力により駆動される。
【００１５】
また、操作ハンドル４ｄが操作されて切替元端子４ａが第２端子４ｃに接続されたら、太陽光発電装置８の発電電力は主幹バーＬ２から分岐ブレーカ３を介して各負荷に供給される。このとき、負荷に供給される電力が太陽光発電電力だけでは足りない場合は、商用電力も引き続き供給される。
逆に、負荷での消費量を超える電力が太陽光発電装置８で発電されたら、余剰電力は主幹ブレーカ２、第１電力量計６を介して商用電力系統へ逆潮流されて売電される。尚、このときの売電電力量は第１電力量計６で計測される。
【００１６】
このように、配線工事をすること無く分電盤１内に設けた切替開閉器４の切替操作で、太陽光発電の全量売電と需要家内の消費とを簡易な切替操作で実施できるため、太陽光発電電力の売電単価が変更されても、例えば売電単価が受電電力に比べて安価になったら、売電から需要家内での消費に新たな配線工事をすることなく容易に切り替えでき、最善の接続に容易に変更でき需要家にとって利便性が良い。
また、分電盤１に切替開閉器４を設置しただけの省スペースで実施できるし、太陽光発電電力を需要家が消費する場合でも、余剰分は受電電路Ｌ１を介して売電できるため、発電電力を無駄にすることがない。
【００１７】
尚、上記実施形態では、第１電力量計６を受電電力量と売電電力量の双方を計測できる構成としているが、受電電力量のみ計測する構成であれば、売電電力を通過させると共に計測する電力量計を第１電力量計６に並列に設置すれば良い。
【符号の説明】
【００１８】
１・・分電盤、２・・主幹ブレーカ、３・・分岐ブレーカ、４・・切替開閉器（切替手段）、５・・商用電力系統（電力系統）、６・・電力量計（第１電力量計）、７・・電力量計（第２電力量計）、８・・太陽光発電装置。
【図１】
2019022422.tif 000003
【図２】
2019022422.tif 000004